【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
コンピューティング・デバイスによって、１つ以上の基準に少なくとも一部基づき表示するために第１の組のコンテンツ・オブジェクトを識別する工程であって、該基準は、第１のユーザと、１人以上の第２のユーザとの間のソーシャルグラフの情報に少なくとも一部基づく、第１の組のコンテンツ・オブジェクトを識別する工程と、
前記コンピューティング・デバイスによって、基準に基づき前記第１の組のコンテンツ・オブジェクトから１つ以上のコンテンツ・オブジェクトを選択する工程と、
前記コンピューティング・デバイスによって、前記選択されたコンテンツ・オブジェクトをユーザ・インターフェース（ＵＩ）上に表示する工程と、
前記コンピューティング・デバイスによって、前記表示された選択されたコンテンツ・オブジェクトを動的に調整する工程であって、同動的に調整する工程は、
前記第１のユーザの前記コンピューティング・デバイスの現在の地理的位置を判断する工程と、
前記第１のユーザの前記コンピューティング・デバイスの前記現在の地理的位置に少なくとも一部基づくコンテンツ成熟しきい値レベルを判断する工程と、
前記判断されたコンテンツ成熟しきい値レベルに少なくとも基づいて第２の組のコンテンツ・オブジェクトを識別する工程であって、前記第２の組の前記コンテンツ・オブジェクトの各々は、前記判断されたコンテンツ成熟しきい値レベルを満たすコンテンツ成熟等級を有する、第２の組のコンテンツ・オブジェクトを識別する工程と、
前記ユーザ・インターフェース上に表示するために前記第２の組のコンテンツ・オブジェクトから１つ以上のコンテンツ・オブジェクトを選択する工程とを含む、前記表示された選択されたコンテンツ・オブジェクトを動的に調整する工程と、を含み、
前記コンピューティング・デバイスによって、更新されたコンテンツ成熟しきい値レベルに基づいて少なくとも１つの他のコンテンツ・オブジェクトを動的に識別する工程と、
前記コンピューティング・デバイスによって、前記動的な識別に基づいて前記少なくとも１つの他のコンテンツ・オブジェクトを動的に表示する工程と
を含むことを特徴とする方法。
【請求項２】
前記ソーシャルグラフは、複数のノードおよび同ノード同士を接続するエッジを含み、前記グラフの少なくとも１つのノードは、前記第１のユーザに対応し、前記グラフの少なくとも１つのノードは、各第２のユーザに対応し、
前記第２のユーザが少なくともその一部に基づき識別されるという前記ソーシャルグラフの情報は、前記第１のユーザに対応する前記ノードのうちの少なくとも１つ、およびエッジによって互いに接続される各第２のユーザに対応する前記ノードのうちの少なくとも１つを含むことを特徴とする請求項１に記載の方法。
【請求項３】
前記少なくとも１つの他のコンテンツ・オブジェクトのコンテンツ成熟等級を決定する工程と、
前記少なくとも１つの他のコンテンツ・オブジェクトの前記コンテンツ成熟等級が前記更新されたコンテンツ成熟しきい値レベルを超えることを決定する工程とを更に含むことを特徴とする請求項１に記載の方法。
【請求項４】
前記識別工程は、１つ以上の前記コンテンツ・オブジェクトが、ソーシャルネットワーキング・システムの１人以上のユーザによってスパムとしてフラグを立てられたかどうかを判断する工程を含むことを特徴とする請求項１に記載の方法。
【請求項５】
前記識別工程は、前記第１のユーザのユーザ・プロフィールまたはソーシャルグラフの情報と、１人以上の前記第２のユーザとの間の重なりの量を測定する工程を含むことを特徴とする請求項１に記載の方法。
【請求項６】
前記コンピューティング・デバイスは、ソーシャルネットワーキング・システムのサーバ・コンピューティング・デバイスであることを特徴とする請求項１に記載の方法。
【請求項７】
前記コンピューティング・デバイスは、前記第１のユーザのモバイル・コンピューティング・デバイスであり、
前記ＵＩは、前記モバイル・コンピューティング・デバイスのロック・スクリーンであることを特徴とする請求項１に記載の方法。
【請求項８】
ソフトウェアを具現化する１つ以上のコンピュータ可読非一時的記憶媒体であって、前記ソフトウェアは、実行時に、
１つ以上の基準に少なくとも一部基づき表示するための第１の組のコンテンツ・オブジェクトを識別し、該基準は、第１のユーザと、１人以上の第２のユーザとの間のソーシャルグラフの情報に少なくとも一部基づき、
前記基準に基づき前記第１の組のコンテンツ・オブジェクトから１つ以上のコンテンツ・オブジェクトを選択し、
前記選択されたコンテンツ・オブジェクトをユーザ・インターフェース（ＵＩ）上に表示し、
前記表示された選択されたコンテンツ・オブジェクトを動的に調整し、同動的な調整は、
前記第１のユーザのコンピューティング・デバイスの現在の地理的位置を判断し、
前記第１のユーザの前記コンピューティング・デバイスの前記現在の地理的位置に少なくとも一部基づくコンテンツ成熟しきい値レベルを決定し、
前記決定されたコンテンツ成熟しきい値レベルに少なくとも基づき第２の組のコンテンツ・オブジェクトを識別し、前記第２の組の前記コンテンツ・オブジェクトの各々は、前記決定されたコンテンツ成熟しきい値レベルを満たすコンテンツ成熟等級を有し、
前記ユーザ・インターフェース上に表示するために前記第２の組のコンテンツ・オブジェクトから１つ以上のコンテンツ・オブジェクトを選択することを含み、
更新されたコンテンツ成熟しきい値レベルに基づいて少なくとも１つの他のコンテンツ・オブジェクトを動的に識別し、
前記動的な識別に基づいて前記少なくとも１つの他のコンテンツ・オブジェクトを動的に表示するように構成されることを特徴とするコンピュータ可読非一時的記憶媒体。
【請求項９】
前記ソーシャルグラフは、複数のノードおよび同ノード同士を接続するエッジを含み、前記グラフの少なくとも１つのノードは、前記第１のユーザに対応し、前記グラフの少なくとも１つのノードは、各第２のユーザに対応し、
前記第２のユーザが少なくともその一部に基づき識別されるという前記ソーシャルグラフの情報は、前記第１のユーザに対応する前記ノードのうちの少なくとも１つ、およびエッジによって互いに接続される各第２のユーザに対応する前記ノードのうちの少なくとも１つを含むことを特徴とする請求項８に記載の媒体。
【請求項１０】
実行時に、
前記少なくとも１つの他のコンテンツ・オブジェクトのコンテンツ成熟等級を決定し、
前記少なくとも１つの他のコンテンツ・オブジェクトの前記コンテンツ成熟等級が前記更新されたコンテンツ成熟しきい値レベルを超えることを判断するように構成されるソフトウェアを更に具現化することを特徴とする請求項８に記載の媒体。
【請求項１１】
前記識別は、１つ以上の前記コンテンツ・オブジェクトが、ソーシャルネットワーキング・システムの１人以上のユーザによってスパムとしてフラグを立てられたかどうかの判断を含むことを特徴とする請求項８に記載の媒体。
【請求項１２】
前記識別は、前記第１のユーザのユーザ・プロフィールまたはソーシャルグラフの情報と、１人以上の前記第２のユーザとの間の重なりの量の測定を含むことを特徴とする請求項８に記載の媒体。
【請求項１３】
前記媒体は、ソーシャルネットワーキング・システムのサーバ・コンピューティング・デバイスのプロセッサに接続されることを特徴とする請求項８に記載の媒体。
【請求項１４】
前記媒体は、前記第１のユーザのモバイル・コンピューティング・デバイスのプロセッサに接続され、
前記ＵＩは、前記モバイル・コンピューティング・デバイスのロック・スクリーンであることを特徴とする請求項８に記載の媒体。
【請求項１５】
プロセッサと、
同プロセッサに接続される１つ以上のコンピュータ可読非一時的記憶媒体とを備え、同コンピュータ可読非一時的記憶媒体は、
１つ以上の基準に少なくとも一部基づき表示するための第１の組のコンテンツ・オブジェクトを識別する工程であって、該基準は、第１のユーザと、１人以上の第２のユーザとの間のソーシャルグラフの情報に少なくとも一部基づく、第１の組のコンテンツ・オブジェクトを識別する工程と、
前記基準に基づき前記第１の組のコンテンツ・オブジェクトから１つ以上のコンテンツ・オブジェクトを選択する工程と、
前記選択されたコンテンツ・オブジェクトをユーザ・インターフェース（ＵＩ）上に表示する工程と、
前記表示された選択されたコンテンツ・オブジェクトを動的に調整する工程であって、同動的に調整する工程は、
前記第１のユーザのコンピューティング・デバイスの現在の地理的位置を判断する工程と、
前記第１のユーザの前記コンピューティング・デバイスの前記現在の地理的位置に少なくとも一部基づくコンテンツ成熟しきい値レベルを決定する工程と、
前記決定されたコンテンツ成熟しきい値レベルに少なくとも基づき第２の組のコンテンツ・オブジェクトを識別する工程であって、前記第２の組の前記コンテンツ・オブジェクトの各々は、前記決定されたコンテンツ成熟しきい値レベルを満たすコンテンツ成熟等級を有する、第２の組のコンテンツ・オブジェクトを識別する工程と、
前記ユーザ・インターフェース上に表示するために前記第２の組のコンテンツ・オブジェクトから１つ以上のコンテンツ・オブジェクトを選択する工程とを含む、動的に調整する工程と、
更新されたコンテンツ成熟しきい値レベルに基づいて少なくとも１つの他のコンテンツ・オブジェクトを動的に識別する工程と、
前記動的な識別に基づいて前記少なくとも１つの他のコンテンツ・オブジェクトを動的に表示する工程とを含むソフトウェアを具現化することを特徴とする装置。
【請求項１６】
前記ソフトウェアは、
前記少なくとも１つの他のコンテンツ・オブジェクトのコンテンツ成熟等級を決定する工程と、
前記少なくとも１つの他のコンテンツ・オブジェクトの前記コンテンツ成熟等級が前記更新されたコンテンツ成熟しきい値レベルを超えることを判断する工程とを更に含むことを特徴とする請求項１５に記載の装置。
【請求項１７】
前記識別する工程は、１つ以上の前記コンテンツ・オブジェクトが、ソーシャルネットワーキング・システムの１人以上のユーザによってスパムとしてフラグを立てられたかどうかを判断する工程を含むことを特徴とする請求項１５に記載の装置。
【請求項１８】
前記ソーシャルグラフは、複数のノードおよび同ノード同士を接続するエッジを含み、前記グラフの少なくとも１つのノードは、前記第１のユーザに対応し、前記グラフの少なくとも１つのノードは、各第２のユーザに対応し、
前記第２のユーザが少なくともその一部に基づき識別されるという前記ソーシャルグラフの情報は、前記第１のユーザに対応する前記ノードのうちの少なくとも１つ、およびエッジによって互いに接続される各第２のユーザに対応する前記ノードのうちの少なくとも１つを含むことを特徴とする請求項１５に記載の装置。
【請求項１９】
前記識別する工程は、前記第１のユーザのユーザ・プロフィールまたはソーシャルグラフの情報と、１人以上の前記第２のユーザとの間の重なりの量を測定する工程を含むことを特徴とする請求項１５に記載の装置。
【請求項２０】
前記プロセッサは、ソーシャルネットワーキング・システムのサーバ・コンピューティング・デバイスのプロセッサであることを特徴とする請求項１５に記載の装置。
【請求項２１】
前記プロセッサは、前記第１のユーザのモバイル・コンピューティング・デバイスのプロセッサであり、
前記ＵＩは、前記モバイル・コンピューティング・デバイスのロック・スクリーンであることを特徴とする請求項１５に記載の装置。
【手続補正２】
【補正対象書類名】明細書
【補正対象項目名】００２５
【補正方法】変更
【補正の内容】
【００２５】
後述するように、クライアント・システム１３０およびソーシャルネットワーキング・システム１６０上の「友達」に関連付けられるユーザと、ソーシャルネットワーキング・システム１６０の他のユーザとのつながりは、ソーシャルグラフ上に格納される。特定の実施形態においては、特定の「フィルタリング」基準は、ユーザと、各コンテンツ・オブジェクトを生成した「友達」との間の近接である。更に、ソーシャルネットワーキング・システム１６０は、ユーザのソーシャルグラフにアクセスし、ユーザと、クライアント・システム１３０の１つ以上のＵＩ上に表示されると考えられる各コンテンツ・オブジェクトを生成した「友達」との間の近接を判断する。これに代えて、ソーシャルネットワーキング・システムは、ソーシャルグラフのノード間の隔たりの程度によってランク付けされ、このソーシャルグラフ間の隔たりの程度の判断は、２０１１年１２月２日に出願され、発明の名称が「オンライン・ソーシャル・ネットワークのメンバー間の情報の流れを管理するシステムおよび方法」である米国特許出願第１３／３１０５６４号明細書に開示され、その全体がここに開示されたものとする。